(57)【要約】【課題】ベアリングブロック内部に異物の侵入することを防止できるようにする。【解決手段】リニアガイド装置１０は、ガイドレール２０と、転動体４０を介して前記ガイドレール２０に移動自在に配設されるベアリングブロック３０と、前記ベアリングブロック３０の両端に配設されるエンドキャップ５０と、前記ベアリングブロック３０の底部３１に配設されるアンダーシール６０を備え、前記アンダーシールの先端５１が前記ベアリングブロックの底部３１に接触することを特徴とする。【選択図】図１
2018003897.tif 000002
【特許請求の範囲】
【請求項１】
ガイドレールと、転動体を介して前記ガイドレールに移動自在に配設されるベアリングブロックと、前記ベアリングブロックの両端に配設されるエンドキャップと、前記ベアリングブロックの底部に配設されるアンダーシールと、を備え、
前記アンダーシールが前記ガイドレールに設けられる前記アンダーシール溝に挿入保持されて、
前記アンダーシールの先端が前記ベアリングブロックの底部に接触することを特徴とする
リニアガイド装置。
【請求項２】
ガイドレールと、転動体を介して前記ガイドレールに移動自在に配設されるベアリングブロックと、前記ベアリングブロックの両端に配設されるエンドキャップと、前記ベアリングブロックの底部に配設されるアンダーシールと、を備え、
前記アンダーシールが前記ガイドレールに締結部材により取り付けられ、
前記アンダーシールの先端が前記ベアリングブロックの底部に接触することを特徴とするリニアガイド装置。
【発明の詳細な説明】
【技術分野】
【０００１】
本発明は、リニアガイド装置に関する。
【背景技術】
【０００２】
特許文献１には、リニアガイド装置のアンダーシールを備えたリニアガイド装置が開示されている。
先ず、特許文献１にも開示されているが、一般に、リニアガイド（直動案内）装置１００
は、図３に示すように、ガイドレール２００と、ベアリングブロック３００と、ガイドレー
ル２００に設けられるレール側転動溝２１０とベアリングブロック３００に設けられるベアリングブロック側転動溝３１０との間に転動自在に介装される転動体（ボール）４００と、を含んで構成されている。
【０００３】
この種のリニアガイド装置１００には、ガイドレール２００の中心軸を挟んで両側にボール列が配設されており、転動体（ボール）４００は、ガイドレール側ボール溝２１０及びベアリングブロック側ボール溝３１０、エンドキャップ５００に設けられる不図示の方向転換路、ベアリングブロック３００に設けられる循環路３２０を通って、無限循環するように構成されている。
【０００４】
そして、リニアガイド装置１００には、ガイドレール２００とベアリングブロック３００との間にアンダーシール６００が設けられている。ここで、アンダーシール６００は、その両端部がエンドキャップ５００に設けられる不図示のアンダーシール溝にそれぞれ挿入されて保持される。
次に、特許文献１に開示されているアンダーシール６００を図４を参照しつつ説明する
。ここで、図４中、左下に示すアンダーシール６００の形状は、平面視のアンダーシール
６００の形状であり、左上に示すアンダーシール６００の形状は、アンダーシール６００の短辺方向から視たアンダーシール６００の側面形状であり、右に示すアンダーシール６００の形状は、アンダーシール６００の長辺方向から視たアンダーシール６００の側面形状である。
【０００５】
このアンダーシール６００は、エラストマやプラスチックス等の樹脂材料のみで構成されており、図４に示すように、ガイドレール２００に当接されるリップ部６１０と、その両端部がエンドキャップのアンダーシール溝に挿入されて保持される保持部６２０とを有している。ここで、保持部６２０の端部は、エンドキャップのアンダーシール溝に差し込まれる差込部位６２０ａ，６２０ｂを構成している。
【０００６】
そして、アンダーシール６００には、そのようにエンドキャップのアンダーシール溝に挿入される保持部６２０の端部（差込部位）６２０ａ，６２０ｂに略円筒形状の突起６３０が設けられている。このようなアンダーシールの形状に対応して、エンドキャップのアンダーシール溝には、アンダーシール６００の突起６３０と係合可能な凹部が設けられている。
次に、前述のアンダーシール６００のベアリングブロック３００への取り付け方法について、図５（ａ）及び（ｂ）を参照しつつ説明する。
【０００７】
先ず、ガイドレール２００に組み付けられた状態のベアリングブロック３００にアンダーシール６００を取り付ける際には、アンダーシール６００の一端側の差込部分６２０ａを、エンドキャップ５００に隣接するベアリングブロック３００側（図５（ａ）に示す矢印Ａの方向）から、対応する側のアンダーシール溝５００ａに挿入する。
【０００８】
次に、アンダーシール６００を、図５（ｂ）に示すように中央付近を下方に撓ませて、アンダーシール６００の他端側の差込部分６２０ｂを、エンドキャップ５００に隣接するベアリングブロック３００側（図５（ｂ）に示す矢印Ｂの方向）から、対応する側のアンダーシール溝５００ａに挿入する。ガイドレール２００に組み付けられた状態のベアリングブロック３００からアンダーシール６００を取り外す際は、アンダーシール６００を、図５（ｂ）に示すように下方に撓ませて、エンドキャップ５０のアンダーシール溝５００ａからアンダーシール６００の差込部分６２０ａ，６２０ｂを抜き取る。
【０００９】
以上のように、特許文献１に開示されているアンダーシール６００は、エラストマやプラスチックス等の樹脂材料のみで構成されているため、所望のシール性を確保することができると共に、ベアリングブロック３００をガイドレール２００に組み付けた状態であっても、アンダーシール６００の差込部分６２０ａ，６２０ｂを、対応する側のアンダーシール溝５００ａに簡単かつ迅速に挿入或いは取り外すことを実現している。
そして、特許文献１に開示されているアンダーシール６００は、保持部６２０の差込部位６２０ａ，６２０ｂに略円筒形状の突起６３を設けたことで、脱落防止を図れるようになっている。
【先行技術文献】
【特許文献】
【００１０】
【特許文献１】特開２００７−３０３６２０号公報
【発明の概要】
【発明が解決しようとする課題】
【００１１】
しかしながら、特許文献１に開示されているアンダーシール６００では、ベアリングブロック３００の内部へ異物の侵入を防止することは出来ない。
本発明は、前述の問題点に鑑みてなされたものであり、その目的は、ベアリングブロック３００内部に異物の侵入することを防止することにある。
【課題を解決するための手段】
【００１２】
前記課題を解決するために、本発明のうち請求項１に係るリニアガイド装置は、ガイドレールと、転動体を介して前記ガイドレールに移動自在に配設されるベアリングブロックと、前記ベアリングブロックの両端に配設されるエンドキャップと、前記ベアリングブロックの底部に配設されるアンダーシールを備え、前記アンダーシールが前記ガイドレールに設けられる前記アンダーシール溝に挿入保持されて、前記アンダーシールの先端が前記ベアリングブロックの底部に接触することを特徴とする。
【００１３】
また、本発明のうち請求項２に係るリニアガイド装置は、ガイドレールと、転動体を介して前記ガイドレールに移動自在に配設されるベアリングブロックと、前記ベアリングブロックの両端に配設されるエンドキャップと、前記ベアリングブロックの底部に配設されるアンダーシールを備え、前記アンダーシールが前記ガイドレールに締結部材により取り付けられ、前記アンダーシールの先端が前記ベアリングブロックの底部に接触することを特徴とする。
【発明の効果】
【００１４】
本発明のうち請求項１に係るリニアガイド装置のアンダーシールによれば、ガイドレールとベアリングブロックとの間のシールを行うことにより、ベアリングブロック内部への異物の侵入を防止する。
【００１５】
また、本発明のうち請求項２に係るリニアガイド装置のアンダーシールによれば、ガイドレールに締結部材により保持されるため、アンダーシールがベアリングブロックの走行によりずれることなく、ガイドレールとベアリングブロックとの間のシールを行うことにより、ベアリングブロック内部への異物の侵入を防止する。
【図面の簡単な説明】
【００１６】
【図１】第一実施形態のアンダーシールを組み付けたリニアガイド装置の構成例を示す。
【図２】第二実施形態のアンダーシールを組み付けたリニアガイド装置の構成例を示す。
【図３】一般的なリニアガイド（直動案内）装置の構成例を示す図である。
【図４】特許文献１に開示されているアンダーシールの構成を示す図である。
【図５】特許文献１に開示されているアンダーシールをベアリングブロックに取り付ける方法を説明する図である。
【発明を実施するための形態】
【００１７】
以下、本発明の第一実施形態の図面を参照しつつ説明する。
リニアガイド（直動案内）装置１０は、図１に示すように、ガイドレール２０と、ベアリングブロック３０と、ガイドレール２０に設けられるレール側転動溝２１とベアリングブロック３０に設けられるベアリングブロック側転動溝３１との間に転動自在に介装される転動体（ボール）４０と、を含んで構成されている。
【００１８】
この種のリニアガイド装置１０には、ガイドレール２０の中心軸を挟んで両側にボール列が配設されており、転動体（ボール）４０は、ガイドレール側ボール溝２１及びベアリングブロック側ボール溝３１、エンドキャップ５０に設けられる不図示の方向転換路、ベアリングブロック３０に設けられる循環路３２を通って、無限循環するように構成されている。
【００１９】
そして、リニアガイド装置１０には、ガイドレール２０とベアリングブロック３０との間にアンダーシール６０が設けられている。ここで、アンダーシール６０は、ガイドレール２０の両側に設けられるアンダーシール溝３２に挿入保持されて、アンダーシール６０の先端部６１はベアリングブロック３０の底部２３に接触する。アンダーシール６０は、ガイドレール２０とベアリングブロック３０との間のシールを行うことができるため、ベアリングブロック３０の内部への異物の侵入を防止する。このアンダーシール６０は、エラストマやプラスチックス等の樹脂材料で構成されている。
【００２０】
以下、本発明の第二実施形態の図面を参照しつつ説明する。
リニアガイド（直動案内）装置１１０は、図２に示すように、ガイドレール１２０と、ベアリングブロック１３０と、ガイドレール１２０に設けられるレール側転動溝１２１とベアリングブロック１３０に設けられるベアリングブロック側転動溝１３１との間に転動自在に介装される転動体（ボール）１４０と、を含んで構成されている。
【００２１】
この種のリニアガイド装置１１０には、ガイドレール１２０の中心軸を挟んで両側にボール列が配設されており、転動体（ボール）１４０は、ガイドレール側ボール溝１２１及びベアリングブロック側ボール溝１３１、エンドキャップ１５０に設けられる不図示の方向転換路、ベアリングブロック１３０に設けられる循環路１３２を通って、無限循環するように構成されている。
【００２２】
そして、リニアガイド装置１１０には、ガイドレール１２０とベアリングブロック１３０との間にアンダーシール１６０が設けられている。ここで、アンダーシール１６０は、ガイドレール１２０の両側に締結部材１７０に取り付けられている。アンダーシール１６０の先端部１６１はベアリングブロック１３０の底部１３３に接触する。アンダーシール１６０がベアリングブロック１３０の走行によりずれることなく、アンダーシール１６０は、ガイドレール１２０とベアリングブロック１３０との間のシールを行うことができるため、ベアリングブロック１３０の内部への異物の侵入を防止する。このアンダーシール１６０は、エラストマやプラスチックス等の樹脂材料のみで構成されている。また、締結部材１７０はビス、ボルト、または、ねじ等でもよい。さらに締結部材１７０に代わりに溶接にて、アンダーシール１６０をガイドレール１２０の側面に取り付けてもよい。
【符号の説明】
【００２３】
１０，１１０  リニアガイド装置
２０，１２０  ガイドレール
２２，１２２  アンダシール溝
３０，１３０  ベアリングブロック
３３，１３３  ベアリングブロックの底部
４０，１４０  転動体
５０，１５０  エンドキャップ
６０，１６０  アンダーシール
６１，１６１  アンダーシールの先端  
【図１】
2018003897.tif 000003
【図２】
2018003897.tif 000004
【図３】
2018003897.tif 000005
【図４】
2018003897.tif 000006
【図５】
2018003897.tif 000007